(57)【要約】【課題】梱包箱の容積を抑え、設置作業を簡素化することが可能なスタンドおよびこれを備えた表示装置を提供する。【解決手段】丸型棒を屈曲させた前アーム１１および後アーム１２をベース１０として、この前アーム１１および後アーム１２の両端のねじ部１１Ａ，１１Ｂ，１２Ａ，１２Ｂを結合部材３０Ａ，３０Ｂの通し孔に螺動可能に締結する。結合部材３０Ａ，３０Ｂを軸として前アーム１１および後アーム１２を回動させて開閉可能となる。支持対象物である本体部２をブラケット２０の取付部２１に固定し、ブラケット２０を結合部材３０Ａ，３０Ｂに固定する。スタンド３を支持対象物である本体部２から分解することなく、前アーム１１および後アーム１２を開閉可能となる。よって、梱包箱５０の容積を抑え、設置作業を簡素化することが可能となる。【選択図】図２
2011244258.tif 000002
【特許請求の範囲】
【請求項１】
両端にねじ部を有する棒を、前記両端を向かい合わせて屈曲させた前アームおよび後アームを有し、前記前アームおよび前記後アームが、前記前アームおよび前記後アームの一端のねじ部を隣り合わせにし、前記前アームおよび前記後アームの他端のねじ部を隣り合わせにして配置されたベースと、
各々少なくとも二つの通し孔を有する二つの結合部材を有し、前記二つの結合部材の一方の通し孔に前記前アームおよび前記後アームの一端のねじ部が螺動可能に締結され、前記二つの結合部材の他方の通し孔に前記前アームおよび前記後アームの他端のねじ部が螺動可能に締結されたヒンジユニットと、
支持対象物に固定される取付部を有すると共に前記二つの結合部材に固定されたブラケットと
を備えたスタンド。
【請求項２】
前記ブラケットは前記二つの結合部材に回動可能に固定されている
請求項１記載のスタンド。
【請求項３】
前記前アームおよび前記後アームに設けられた突起と、前記結合部材の外側面に設けられた凹溝とを有する回転規制機構を備え、前記前アームおよび前記後アームの開閉に伴って前記突起が前記凹溝内で移動し、前記前アームおよび前記後アームが最大に開かれたときに前記突起が前記凹溝の最奥面に接触する
請求項２記載のスタンド。
【請求項４】
前記前アームおよび後アームの下面に、凹凸形状または弾性樹脂よりなる滑り止め構造を有する
請求項３記載のスタンド。
【請求項５】
画像表示のための平板状の本体部および前記本体部を支持対象物とするスタンドを備え、
前記スタンドは、
両端にねじ部を有する棒を、前記両端を向かい合わせて屈曲させた前アームおよび後アームを有し、前記前アームおよび前記後アームが、前記前アームおよび前記後アームの一端のねじ部を隣り合わせにし、前記前アームおよび前記後アームの他端のねじ部を隣り合わせにして配置されたベースと、
各々少なくとも二つの通し孔を有する二つの結合部材を有し、前記二つの結合部材の一方の通し孔に前記前アームおよび前記後アームの一端のねじ部が螺動可能に締結され、前記二つの結合部材の他方の通し孔に前記前アームおよび前記後アームの他端のねじ部が螺動可能に締結されたヒンジユニットと、
支持対象物に固定される取付部を有すると共に前記二つの結合部材に固定されたブラケットと
を備えた表示装置。
【請求項６】
前記本体部の背面に、前記ブラケットの上辺に係止する鉤を備えた
請求項５記載の表示装置。
【発明の詳細な説明】
【技術分野】
【０００１】
本発明は、薄型テレビジョン装置などに好適なスタンドおよびこのスタンドを備えた表示装置に関する。
【背景技術】
【０００２】
近年、各種放送波やビデオ映像等の表示装置は、ますます大型化・薄型化が進められており、これと同時に、表示装置を設置するためのスタンドについても、本体重量を支えるための十分な強度が求められている。このような表示装置のスタンドとしては、平板状の底板に支柱を立てて、この支柱に表示部本体を取り付けるものが多い（例えば、特許文献１参照。）。
【先行技術文献】
【特許文献】
【０００３】
【特許文献１】特開２００７−１５９０４８号公報（図１）
【発明の概要】
【発明が解決しようとする課題】
【０００４】
しかしながら、このような従来のスタンドを４０インチないし６０インチの大型表示装置に適用する場合には、転倒防止のため、スタンド自身に重心との関係である程度の重量および設置床面積を設けることが必要とされていた。そのため、スタンドを本体に取付けた状態では梱包箱の容積が増大し、輸送効率の低下などの問題が生じていた。また、スタンドを本体から取り外し、底板と支柱とに分解して梱包する場合には、設置時に煩雑な組立作業が必要となっていた。
【０００５】
本発明はかかる問題点に鑑みてなされたもので、その目的は、梱包箱の容積を抑え、設置作業を簡素化することが可能なスタンドおよびこれを備えた表示装置を提供することにある。
【課題を解決するための手段】
【０００６】
本発明によるスタンドは、以下の（Ａ）〜（Ｃ）の構成要素を備えたものである。
（Ａ）両端にねじ部を有する棒を、両端を向かい合わせて屈曲させた前アームおよび後アームを有し、前アームおよび後アームが、前アームおよび後アームの一端のねじ部を隣り合わせにし、前アームおよび後アームの他端のねじ部を隣り合わせにして配置されたベース
（Ｂ）各々少なくとも二つの通し孔を有する二つの結合部材を有し、二つの結合部材の一方の通し孔に前アームおよび後アームの一端のねじ部が螺動可能に締結され、二つの結合部材の他方の通し孔に前アームおよび後アームの他端のねじ部が螺動可能に締結されたヒンジユニット
（Ｃ）支持対象物に固定される取付部を有すると共に二つの結合部材に固定されたブラケット
【０００７】
本発明による表示装置は、画像表示のための平板状の本体部および本体部を支持対象物とするスタンドを備え、スタンドは、上記本発明のスタンドにより構成されたものである。
【０００８】
本発明のスタンドまたは本発明の表示装置では、棒を屈曲させた前アームおよび後アームがベースとなって、この前アームおよび後アームの両端のねじ部が結合部材の通し孔に螺動可能に締結されているので、結合部材を軸として前アームおよび後アームを回動させて開閉可能となっている。また、支持対象物である本体部はブラケットの取付部に固定され、このブラケットが結合部材に固定されているので、スタンドを支持対象物から分解することなく、前アームおよび後アームを開閉可能となる。よって、スタンドを支持対象物に取り付けたまま、前アームおよび後アームを閉じた状態で梱包することにより、梱包箱の容積が抑えられる。また、開梱して前アームおよび後アームを開くことにより、煩雑な組立作業を行う必要なく直ちに設置可能となる。
【発明の効果】
【０００９】
本発明のスタンド、または本発明の表示装置によれば、棒を屈曲させた前アームおよび後アームをベースとして、この前アームおよび後アームの両端のねじ部を結合部材の通し孔に螺動可能に締結するようにしたので、結合部材を軸として前アームおよび後アームを回動させて開閉可能となる。また、支持対象物である本体部をブラケットの取付部に固定し、このブラケットを結合部材に固定するようにしたので、スタンドを支持対象物である本体部から分解することなく、前アームおよび後アームを開閉可能となる。よって、梱包箱の容積を抑え、設置作業を簡素化することが可能となる。
【図面の簡単な説明】
【００１０】
【図１】本発明の一実施の形態に係る表示装置の外観を表す斜視図である。
【図２】図１に示したスタンドを上方から見た全体構成を表す平面図である。
【図３】スタンドを背面側から見た構成を表す斜視図である。
【図４】図２に示したヒンジユニットおよびブラケットを拡大して表す斜視図である。
【図５】図３に示した前アームおよび後アームの開閉を説明するための図である。
【図６】本体部の設置角度の変更を説明するための図である。
【図７】図１に示した表示装置を背面側から見た一部分解斜視図である。
【図８】図１に示した表示装置の組立手順を表す斜視図である。
【図９】図８に続く手順を表す斜視図である。
【図１０】図１に示した表示装置の設置状態を表す側面図である。
【図１１】表示装置の梱包状態の一例を表す側面図である。
【図１２】表示装置の他の梱包状態を表す上面図である。
【図１３】スタンドの変形例を表す図である。
【発明を実施するための形態】
【００１１】
以下、本発明の実施の形態について図面を参照して詳細に説明する。
【００１２】
図１は、本発明の一実施の形態に係る表示装置の外観を表したものである。この表示装置１は、例えば薄型テレビジョン装置として用いられるものであり、画像表示のための平板状の本体部２をスタンド３により支持した構成を有している。なお、表示装置１は、スタンド３を本体部２に取付けた状態で、床，棚または台などの水平面に載置して据置型として用いられるが、スタンド３を本体部２から取り外した状態で壁掛型として用いることも可能である。
【００１３】
本体部２は、透明板ガラスよりなる前面ガラス２Ａと、樹脂または金属よりなる背面筐体２Ｂとの間に、液晶などの平板状の表示パネル（図示せず）を収容したものである。使用者は、前面ガラス２Ａを通して表示パネルに表示される映像を視聴可能となっている。なお、表示パネルは、液晶のほか、プラズマ，有機ＥＬ（Electroluminescence），無機ＥＬ，エレクトロデポジションもしくエレクトロクロミックなどの他の表示素子を用いたものであってもよい。ちなみに、本体部２の重量は、４０インチクラスの液晶表示装置では１４ｋｇ〜２０ｋｇ、５２インチクラスでは３０ｋｇ〜３６ｋｇ、６０インチクラスでは約４２ｋｇ程度である。
【００１４】
図２はスタンド３を上方から見た全体構成、図３は背面側から見た全体構成をそれぞれ表したものである。このスタンド３は、表示装置１の設置場所に載置されるベース１０と、支持対象物である本体部２を支持するブラケット２０とを、ヒンジユニット３０により連結し一体化した構成を有している。ヒンジユニット３０の下方は、必要に応じて、カバー４０で覆われている。
【００１５】
ベース１０は、前アーム１１および後アーム１２を有している。前アーム１１は、両端にねじ部１１Ａ，１１Ｂを有するステンレス鋼などの金属製の丸型棒を、両端を向かい合わせて例えば長方形に屈曲させたものである。後アーム１２は、両端にねじ部１２Ａ，１２Ｂを有するステンレス鋼などの金属製の丸型棒を、両端を向かい合わせて例えば台形に屈曲させたものである。前アーム１１および後アーム１２は、一端のねじ部１１Ａ，１２Ａを隣り合わせにし、他端のねじ部１１Ｂ，１２Ｂを隣り合わせにして並べて配置されている。なお、前アーム１１および後アーム１２を構成する棒は、少なくともねじ部１１Ａ，１１Ｂ，１２Ａ，１２Ｂが丸型棒であればよく、ねじ部１１Ａ，１１Ｂ，１２Ａ，１２Ｂ以外の部分の断面形状は丸に限らず多角形でもよい。また、前アーム１１および後アーム１２の屈曲形状は長方形や台形などの矩形には限定されず、また同じ形状に屈曲されていてもよい。
【００１６】
図４は、ヒンジユニット３０およびブラケット２０を前面側から見た構成を表したものである。ヒンジユニット３０は、前アーム１１および後アーム１２を開閉するための蝶番としての機能を有するものであり、二つの結合部材３０Ａ，３０Ｂを有している。結合部材３０Ａ，３０Ｂは、例えばアルミニウム（Ａｌ）等のダイキャストにより構成され、各々、下方に二つ、上方に一つ、合計三つの通し孔が設けられている。結合部材３０Ａの下方の二つの通し孔には、前アーム１１および後アーム１２の一端のねじ部１１Ａ，１２Ａが螺動可能に締結されている。結合部材３０Ｂの下方の二つの通し孔には、前アーム１１および後アーム１２の他端のねじ部１１Ｂ，１２Ｂが螺動可能に締結されている。具体的には、前アーム１１および後アーム１２のねじ部１１Ａ，１１Ｂ，１２Ａ，１２Ｂは、螺動可能とするため、スラストワッシャー（図示せず）またはばね（図示せず）等を積層して側圧を掛けた状態で結合部材３０Ａ，３０Ｂの通し孔に挿入されている。これにより、このスタンド３では、図５に示したように、結合部材３０Ａ，３０Ｂを軸として前アーム１１および後アーム１２を回動させて開閉可能となっている。
【００１７】
図４に示したブラケット２０は、支持対象物である本体部２に固定される取付部２１を有していると共に結合部材３０Ａ，３０Ｂに固定されている。これにより、このスタンド３では、同じく図５に示したように、スタンド３を支持対象物である本体部２から分解することなく、前アーム１１および後アーム１２を開閉可能となっている。取付部２１には、本体部２を固定するためのねじ孔が適宜設けられている。また、取付部２１の両端には、取付部２１から９０度に折り曲げられた耳片２２Ａ，２２Ｂが設けられており、耳片２２Ａが結合部材３０Ａに、耳片２２Ｂが結合部材３０Ｂにそれぞれ固定されている。
【００１８】
以上をまとめると、このスタンド３では、棒を屈曲させた前アーム１１および後アーム１２がベース１０となって、この前アーム１１および後アーム１２の両端のねじ部１１Ａ，１１Ｂ，１２Ａ，１２Ｂが結合部材３０Ａ，３０Ｂの通し孔に螺動可能に締結されている。また、支持対象物である本体部２はブラケット２０の取付部２１に固定され、このブラケット２０は結合部材３０Ａ，３０Ｂに固定されている。これにより、このスタンド３およびこれを備えた表示装置１では、梱包箱の容積を抑え、設置作業を簡素化することが可能となっている。
【００１９】
図４に示したブラケット２０は、二つの結合部材３０Ａ，３０Ｂに回動可能に固定されていることが好ましい。具体的には、ブラケット２０の耳片２２Ａ，２２Ｂは、結合部材３０Ａ，３０Ｂの上方の通し孔に、ねじ２３Ａ，２３Ｂとスラストワッシャー（図示せず）とにより回動可能に固定されている。これにより、スラストワッシャーによるブラケット２０の回動Ｒ１に伴って、図６に示したように、取付部２１に固定された本体部２を矢印Ｒ２方向に傾け、本体部２の設置角度を前後５度程度変えることが可能となる。なお、ブラケット２０を固定するねじにクリック機構（図示せず）等を設けることにより、本体部２に僅かな傾斜角度を与えることも可能である。
【００２０】
また、このスタンド３は、回転規制構造として、図５に示したように、前アーム１１および後アーム１２の結合部材３０Ａ，３０Ｂへの固定位置の近傍に突起１１Ｃ，１２Ｃを有すると共に、結合部材３０Ａ，３０Ｂの外側面に凹溝３１，３２を有している。突起１１Ｃ，１２Ｃは、前アーム１１および後アーム１２の開閉に伴って凹溝３１，３２内で移動し、前アーム１１および後アーム１２が最大に開かれたときに突起１１Ｃ，１２Ｃが凹溝３１，３２の最奥面３１Ａ，３２Ａに接触する。これにより、前アーム１１および後アーム１２の設置床面に対する最大開き角度θｍａｘが規制され、本体部２の重量を確実に支えることが可能となる。前アーム１１および後アーム１２の最大開き角度θｍａｘは特に限定されず、図５に示したように１８０°以下としてもよいし、１８０°としてもよい。
【００２１】
この表示装置１は、例えば次のようにして組み立てることが可能である。
【００２２】
まず、図７に示したように、前アーム１１および後アーム１２を開いて設置床面（図示せず）にスタンド３を設置し、支持対象物である本体部２を、スタンド３の上方からブラケット２０に沿わせて下降させる。
【００２３】
ここで、本体部２の背面筐体２Ｂには、ブラケット２０および結合部材３０を収納するため、適宜の形状の凹部２Ｃが設けられている。この凹部２Ｃには、ブラケット２０の取付部２１の上辺に係止する鉤２Ｄが、例えば４個設けられている。これら４個の鉤２Ｄは、位置決めおよび脱落防止のため、取付部２１の上辺の二つの凸部２４Ａ，２４Ｂの両側に係止する位置に設けられていることが望ましい。
【００２４】
続いて、図８に示したように、鉤２Ｄを取付部２１の上辺に係止させる。これにより、簡単な作業で確実に本体部２を取付部２１に取り付けることが可能となる。また、鉤２Ｄを凸部２４Ａ，２４Ｂの両側に係止させることにより、本体部２の位置決めが容易となり、本体部２のずれや脱落も抑えられる。必要に応じて、取付部２１のねじ孔を用いて、取付部２１を背面筐体２Ｂにねじ固定してもよい。そののち、図９に示したように、凹部２Ｃを蓋２Ｅで塞ぐ。以上により、図１に示した表示装置１の組立てが完了する。
【００２５】
また、この表示装置１は、例えば次のようにして分解することが可能である。まず、図９に示したように、背面筐体２Ｂの凹部２Ｃの蓋２Ｅを取り外す。次いで、取付部２１を背面筐体２Ｂにねじ固定した場合には、そのねじを取り外す。続いて、図８および図７に示したように、本体部２を上方に移動させて、鉤２Ｄを取付部２１の上辺から取り外すことにより、簡単な作業で本体部２を取付部２１から分離することが可能となる。このようにして分離した本体部２は、凹部２Ｃを蓋２Ｅで塞ぎ、簡素な作業で壁掛け表示装置としての用途を実現することが可能となり、使用者の利便性の向上が可能となる。
【００２６】
また、この表示装置１は、例えば次のようにして梱包および設置が可能である。
【００２７】
表示装置１は、図１０に示したように、前アーム１１および後アーム１２を開いた状態で床面ＦＬに設置されている。ここでは、本体部２がブラケット２０の取付部２１に固定され、この取付部２１の両端が結合部材３０Ａ，３０Ｂに固定されているので、スタンド３を本体部２から分解することなく、前アーム１１および後アーム１２を開閉可能となっている。よって、図１１に示したように、スタンド３を本体部２に取付けたまま、前アーム１１および後アーム１２を閉じた状態で梱包箱５０に梱包することが可能である。これにより、輸送強度維持のためのクッション５１の占める割合（空気エリア）が２０％〜３０％減少可能となり、梱包箱５０の容積が抑えられる。
【００２８】
また、設置の際には、開梱して本体部２およびスタンド３を取り出し、図１０に示したように、前アーム１１および後アーム１２を開くことにより、煩雑な組立作業を行う必要なく直ちに設置可能となる。
【００２９】
これに対して従来では、平板状の底板に支柱を立てたスタンドを用いていたので、スタンドを本体部から取り外し、底板と支柱とに分解して梱包する場合には、クッション等で本体を保護するために梱包箱の容積を大きくせざるを得なかった。そのため、輸送効率の低下（経費の増大）が生じていた。また、設置の際には煩雑な組立作業が必要となり、組立て工数（工賃）が増えてしまっていた。
【００３０】
このように本実施の形態では、丸型棒を屈曲させた前アーム１１および後アーム１２をベース１０として、この前アーム１１および後アーム１２の両端のねじ部１１Ａ，１１Ｂ，１２Ａ，１２Ｂを結合部材３０Ａ，３０Ｂの通し孔に螺動可能に締結するようにしたので、結合部材３０Ａ，３０Ｂを軸として前アーム１１および後アーム１２を回動させて開閉可能となる。また、支持対象物である本体部２をブラケット２０の取付部２１に固定し、このブラケット２０を結合部材３０Ａ，３０Ｂに固定するようにしたので、スタンド３を支持対象物である本体部２から分解することなく、前アーム１１および後アーム１２を開閉可能となる。よって、梱包箱５０の容積を抑え、設置作業を簡素化することが可能となる。
【００３１】
以上、実施の形態を挙げて本発明を説明したが、本発明は上記実施の形態に限定されるものではなく、種々の変形が可能である。例えば、上記実施の形態では、図１１に示したように、スタンド３を本体部２に取付けたまま、前アーム１１および後アーム１２を閉じた状態で梱包箱５０に梱包する場合について説明したが、図１２に示したように、スタンド３を本体部２から取り外して梱包箱５０に梱包することも可能であることは言うまでもない。その際は、図７ないし図９を参照して説明した組立手順により、簡素な作業で表示装置１を組み立てることが可能である。
【００３２】
また、前アーム１１および後アーム１２の上面に樹脂よりなるアタッチメント部品（図示せず）を取り付け、このアタッチメント部品に本体部２の下面を接触させることにより本体部２の重量を前アーム１１および後アーム１２上に分散させることも可能である。
【００３３】
更に、図１３に示したように、前アーム１１および後アーム１２の下面の適宜の位置に、凹凸形状または弾性樹脂よりなる滑り止め構造１１Ｄ，１２Ｄを設けるようにしてもよい。これにより、万一ベース１０が机上からはみ出したような場合にも表示装置１を落下しにくくすることが可能となる。滑り止め構造１１Ｄ，１２Ｄは、例えば、前アーム１１および後アーム１２の下面に、凹凸または波形形状をプレス成型し、または弾性樹脂を貼り付けることにより形成することが可能である。
【符号の説明】
【００３４】
１…表示装置、２…本体部、２Ａ…前面ガラス、２Ｂ…背面筐体、２Ｃ…凹部、２Ｄ…鉤、３…スタンド、１０…ベース、１１…前アーム、１１Ａ，１１Ｂ，１２Ａ，１２Ｂ…ねじ部、１２…後アーム、２０…ブラケット、２１…取付部、２２Ａ，２２Ｂ…耳片、３０…ヒンジユニット、３０Ａ，３０Ｂ…結合部材、４０…カバー、５０…梱包箱、５１…クッション
【図１】
2011244258.tif 000003
【図２】
2011244258.tif 000004
【図３】
2011244258.tif 000005
【図４】
2011244258.tif 000006
【図５】
2011244258.tif 000007
【図６】
2011244258.tif 000008
【図７】
2011244258.tif 000009
【図８】
2011244258.tif 000010
【図９】
2011244258.tif 000011
【図１０】
2011244258.tif 000012
【図１１】
2011244258.tif 000013
【図１２】
2011244258.tif 000014
【図１３】
2011244258.tif 000015